【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
サーボ・ヘッドを備えた入出力変換器を有するテープ・ドライブをクリーニングするための方法であって、  前記入出力変換器の劣化状態を検出するステップと、  タイミング・ベースの第１のサーボ情報を有するクリーナ・テープを含むクリーナ・カートリッジを選択し、それを前記テープ・ドライブに挿入するステップと、  前記入出力変換器上で前記クリーナ・テープを移動させるステップと、  前記クリーナ・テープから前記第１のサーボ情報を読取るステップと、  前記クリーナ・テープから読取られた前記第１のサーボ情報に基づいて前記サーボ・ヘッドの第１の清浄状態を確認するステップと、  を含む、テープ・ドライブをクリーニングする方法。
【請求項２】
前記第１のサーボ情報がサーボ・ストライプを含む、請求項１に記載の、テープ・ドライブをクリーニングする方法。
【請求項３】
前記第１のサーボ情報が英数字情報を含む、請求項１に記載の、テープ・ドライブをクリーニングする方法。
【請求項４】
前記英数字情報が線形位置（ＬＰＯＳ）情報を含む、請求項３に記載の、テープ・ドライブをクリーニングする方法。
【請求項５】
前記入出力変換器の劣化状態を検出する前記ステップがサーボ・フレーム・レート・エラーを評価するステップを含む、請求項１に記載の、テープ・ドライブをクリーニングする方法。
【請求項６】
前記入出力変換器の劣化状態を検出する前記ステップが前記テープ・ドライブによって遂行されるエラー訂正の量を評価するステップを含む、請求項１に記載の、テープ・ドライブをクリーニングする方法。
【請求項７】
前記入出力変換器の劣化状態を検出する前記ステップが前記テープ・ドライブによって遂行されるエラー回復の量を評価するステップを含む、請求項１に記載の、テープ・ドライブをクリーニングする方法。
【請求項８】
前記入出力変換器の劣化状態を検出する前記ステップが読取り／書込み振幅情報を監視するステップを含む、請求項１に記載の、テープ・ドライブをクリーニングする方法。
【請求項９】
前記読取り／書込み振幅情報を監視する前記ステップがキャリブレーション領域内で生じる、請求項８に記載の、テープ・ドライブをクリーニングする方法。
【請求項１０】
前記キャリブレーション領域が自己特徴付けのための磁気データ・テープを含む、請求項９に記載の、テープ・ドライブをクリーニングする方法。
【請求項１１】
前記入出力変換器の劣化状態を記録するステップを更に含む、請求項１に記載の、テープ・ドライブをクリーニングする方法。
【請求項１２】
前記クリーナ・カートリッジにおいてカートリッジ・メモリを含み、前記入出力変換器の劣化状態を前記カートリッジ・メモリに記録するステップを更に含む、請求項１に記載の、テープ・ドライブをクリーニングする方法。
【請求項１３】
前記劣化状態が「汚れ」である場合、タイミング・ベースの第２のサーボ情報を含む代替クリーナ・カートリッジを選択してそれを前記テープ・ドライブに挿入するステップと、  前記入出力変換器の上で前記代替クリーナ・カートリッジを移動させるステップと、  前記代替クリーナ・カートリッジから前記第２のサーボ情報を読取るステップと、  前記第２のサーボ情報を読取ることに基づいて前記サーボ・ヘッドの第１の清浄状態を確認するステップと、  を更に含む、請求項１に記載の、テープ・ドライブをクリーニングする方法。
【請求項１４】
前記クリーナ・カートリッジが積極的クリーニング・フロントコート・セクションおよび代替フロントコート・セクションを含む、請求項１に記載の、テープ・ドライブをクリーニングする方法。
【請求項１５】
前記クリーナ・テープが自由端を含み、前記自由端が前記積極的クリーニング・フロントコート・セクション内に設けられ、前記積極的クリーニング・フロントコート・セクションがリーダ・テープとして利用される、請求項１４に記載のテープ・ドライブをクリーニングする方法。
【請求項１６】
前記クリーナ・テープが自由端を含み、前記自由端が前記代替フロントコート・セクション内に設けられ、前記代替フロントコート・セクションがリーダ・テープとして利用される、請求項１４に記載の、テープ・ドライブをクリーニングする方法。
【請求項１７】
前記積極的クリーニング・フロントコート・セクションを前記入出力変換器に適用するために第１のクリーニング運動が利用され、前記代替フロントコート・セクションを前記入出力変換器に適用するために第２のクリーニング運動が利用される、請求項１４に記載の、テープ・ドライブをクリーニングする方法。
【請求項１８】
前記第１のクリーニング運動がストリーミング運動である、請求項１７に記載の、テープ・ドライブをクリーニングする方法。
【請求項１９】
前記第１のクリーニング運動がバックヒッチ運動である、請求項１７に記載の、テープ・ドライブをクリーニングする方法。
【請求項２０】
前記積極的クリーニング・フロントコート・セクションが酸化物被覆の鉄金属粒子、二酸化クロム、アルミナ、クロム-３、および二酸化珪素のグループから選択された粒子を含む、請求項１４に記載の、テープ・ドライブをクリーニングする方法。
【請求項２１】
前記代替フロントコート・セクションが標準のデータ・テープを含む、請求項１４に記載の、テープ・ドライブをクリーニングする方法。
【請求項２２】
前記代替フロントコート・セクションが非積極的クリーニングのための金属粒子を含む、請求項１４に記載の、テープ・ドライブをクリーニングする方法。
【請求項２３】
前記金属粒子が磁性フェライトを含む、請求項２２に記載の、テープ・ドライブをクリーニングする方法。
【請求項２４】
前記磁性フェライトがバリウム・フェライトを含む、請求項２３に記載のテープ・ドライブをクリーニングする方法。
【請求項２５】
前記代替フロントコート・セクションが酸化物被覆の鉄金属を含む、請求項１４に記載の、テープ・ドライブをクリーニングする方法。
【請求項２６】
前記代替フロントコート・セクションが光磁気テープを含む、請求項１４に記載の、テープ・ドライブをクリーニングする方法。
【請求項２７】
前記代替フロントコート・セクションが光学的相転移テープを含む、請求項１４に記載の、テープ・ドライブをクリーニングする方法。
【請求項２８】
前記入出力変換器が読取り素子および書込み素子を含み、  前記クリーナ・テープから事前書込みのデータを読取るステップと、  読取られた前記事前書込みのデータに基づいてドライブ・ヘッドの読取り素子の第２の清浄状態を確認するステップと、  前記クリーナ・テープの一部分に第１の新しいデータを書込むステップと、  前記クリーナ・テープの前記一部分から第２の新しいデータを読取るステップと、  前記第１の新しいデータと前記第２の新しいデータとの一致に基づいて前記入出力変換器の書込み素子の第３の清浄状態を確認するステップと、  を含む、請求項１に記載の、テープ・ドライブをクリーニングする方法。
【請求項２９】
サーボ・ヘッドを備えた入出力変換器を有するテープ・ドライブと、  タイミング・ベースのサーボ情報を有するクリーナ・テープを含むクリーナ・カートリッジとを含み、  前記クリーナ・テープが前記入出力変換器上で移動させられ、前記サーボ・ヘッドが前記サーボ情報を読み取り、前記テープ・ドライブがドライブ・ヘッドの清浄状態を確認するために、前記サーボ・ヘッドによって読取られた前記サーボ情報を利用する、テープ・ドライブ・クリーニング・システム。
【請求項３０】
前記クリーナ・テープが積極的クリーニング・フロントコート・セクションを含む、請求項２９に記載のテープ・ドライブ・クリーニング・システム。
【請求項３１】
コンピュータに下記のステップを実行させるためのコンピュータ・プログラムであって、  テープ・ドライブの入出力変換器の劣化状態を検出するステップと、  タイミング・ベースのサーボ情報を有するクリーナ・テープを含むクリーナ・カートリッジを選択し、それを前記テープ・ドライブに挿入するステップと、  前記入出力変換器上で前記クリーナ・テープを移動させるステップと、  前記クリーナ・テープから前記サーボ情報を読取るステップと、  前記クリーナ・テープから読取られた前記サーボ情報に基づいて前記入出力変換器の清浄状態を確認するステップと、  を含む、コンピュータ・プログラム。
【請求項３２】
サーボ・ヘッドを備えた入出力変換器を有するテープ・ドライブと、  積極的クリーニング・フロントコート・セクションおよび代替フロントコート・セクション有するクリーナ・テープを含んだテープ・カートリッジと、  を含み、  前記クリーナ・テープがタイミング・ベースのサーボ情報を更に含み、前記クリーナ・テープが前記入出力変換器上で移動させられ、前記サーボ・ヘッドが前記サーボ情報を読取り、前記テープ・ドライブが、ドライブ・ヘッドの清浄状態を確認するために、前記サーボ・ヘッドによって読取られた前記サーボ情報を利用する、テープ・ドライブ・クリーニング・システム。
【請求項３３】
カートリッジ外郭部と、  テープ・リールと、  積極的クリーニング・フロントコート・セクションおよび代替フロントコート・セクションを含むクリーナ・テープとを含む、テープ・カートリッジ。
【請求項３４】
前記クリーナ・テープが、タイミング・ベースのサーボ情報を含む、請求項３３に記載のテープ・カートリッジ。